(57)【要約】【課題】  安価で接点の接続が容易なフレキシブルプリント配線板を提供する。【解決手段】  表面に回路が形成され、前記回路の途中で入力側からの接点８と出力側からの接点９とを電気的に接続するフレキシブルプリント配線板１の接続構造において、前記配線板１の表面に入力側の接点８と出力側の接点９とが所定間隔で対向して配置され、接点８と接点９との間に折り線１０が形成されて接点８に対して接点９を接触させる折り曲げ接続部１２が前記回路の数と同数形成されるとともに、前記接点９が、前記回路における入力側の回路配線番号に基づいて配列され、前記接点８が出力側の回路配線番号に基づいて配列されている。【選択図】  図２
2006135185.tif 000002
【特許請求の範囲】
【請求項１】
互いに交差しない複数の配線が一方の表面側に形成されるとともに、それらの配線の中間部に、その配線の延長方向に対して交差する折り線に沿って折り曲げることにより重ね合わせられて導通する入力側接点と出力側接点とが設けられたフレキシブルプリント配線板の接点構造において、
折り線に沿って前記フレキシブルプリント配線板を折り曲げて所定の接点同士を導通させる折り曲げ接続部が、前記配線の延長方向に所定間隔をあけて、前記配線の本数と同数設けられ、
前記配線の延長方向での一端側に位置する第１の折り曲げ接続部には、前記入力側接点と出力側接点とを有する複数の配線のうちその配列方向で一側端がわに位置する配線と他側端がわに位置する配線とを、互いに重ね合わせられて導通させる入力側接点と出力側接点とが設けられ、
前記第１の折り曲げ接続部よりも前記配線の延長方向で他端側に順に位置する他の各折り曲げ接続部には、前記一側端がわに位置する配線を前記他側端がわの配線より順に内側の他の配線に接続する入力側接点および出力側接点が設けられるとともに、前記他側端がわに位置する配線を前記一端側の配線より順に内側に位置する他の配線に接続する他の入力側接点および出力側接点が設けられていることを特徴とするフレキシブルプリント配線板の接点構造。
【請求項２】
互いに交差しない複数の配線が一方の表面側に形成されるとともに、それらの配線の中間部に、その配線の延長方向に対して交差する折り線に沿って折り曲げることにより重ね合わせられて導通する入力側接点と出力側接点とが設けられたフレキシブルプリント配線板の回路切り替え方法において、
折り線に沿って前記フレキシブルプリント配線板を折り曲げて所定の接点同士を導通させる折り曲げ接続部を、前記配線の延長方向に所定間隔をあけて、前記配線の本数と同数複数設けておき、
前記配線の延長方向での一端側に位置する第１の折り曲げ接続部を折り曲げることにより、前記入力側接点と出力側接点とを有する複数の配線のうちその配列方向で一側端がわに位置する配線と他側端がわに位置する配線との入力側接点と出力側接点とを導通させてこれらの配線を電気的に導通させ、
また、前記第１の折り曲げ接続部に替えて前記第１の折り曲げ接続部に替えてよりも前記配線の延長方向で他端側に順に位置する他の折り曲げ接続部を折り曲げることにより、前記一側端がわに位置する配線と前記他側端がわの配線より内側に順に位置する他の配線との入力側接点および出力側接点を導通させてこれらの配線を電気的に導通させるとともに、前記他側端がわに位置する配線と前記一端側の配線より内側に順に位置する他の配線との入力側接点および出力側接点を導通させてこれらの配線を電気的に導通させることを特徴とするフレキシブルプリント配線板の回路切り替え方法。
【発明の詳細な説明】
【技術分野】
【０００１】
この発明は、入力側と出力側とを電気的に接続する複数の回路が設けられたフレキシブルプリント配線板における接続構造および回路切り替え方法に関するものである。
【背景技術】
【０００２】
近年、電子機器等の小型化、軽量化に伴って配線や回路等の小型化、軽量化も顕著である。このような回路の小型化、軽量化の一例として、フレキシブルプリント配線板（ＦＰＣ）を使用するものがある。このフレキシブルプリント配線板は可撓性を有する基板もしくはリボン状の部材であり、例えば、絶縁体であるフィルム等をベースに銅箔を積層した銅張積層板にエッチングにより導体回路もしくは配線を形成した電気部品である。そのため、回路を形成するためにリジット基板を用いた場合と、フレキシブルプリント配線板を用いた場合とを比較すると、大幅に機器を小型、軽量化することができる。
【０００３】
上記のフレキシブルプリント配線板では、回路もしくは配線を形成している導電体によって前記基板の表面に接点を作ることも行われている。この場合、前記配線板上の入力側の接点に対して、所定の出力側の接点を接続することによって必要な回路を導通させることができる。
【０００４】
前記入力側の接点と出力側の接点とを接続する場合、すなわち回路を短絡する場合には、いわゆるジャンパ部品が用いられる。このジャンパ部品は、銅等の導電体で形成されるジャンパ片と、前記ジャンパ部を収納するためのプラスチックなどの絶縁体のカバーとによって構成された部品である。このようなジャンパ部品を使用して、回路を接続するフレキシブルプリント配線板の一例が、特許文献１に記載されている。
【特許文献１】特開２００２−１７０６０７号公報
【発明の開示】
【発明が解決しようとする課題】
【０００５】
上記の特許文献１におけるフレキシブルプリント配線板では、前記接点と、前記ジャンパ部品におけるジャンパ片のリード部とが溶接等で接続されている。このジャンパ片はコの字形状とされている。そのため、隣接する回路同士の間隔が小さい前記配線板表面の回路の混線が防止される。しかしながら、このような構成のフレキシブルプリント配線板では、前記ジャンパ部品によって前記入力側の接点と出力側の接点とを接続すると、入力側の１つの接点に対して出力側の２つの接点が不可避的に接続されてしまう。また、前記ジャンパ片がコの字形状であるため、前記回路同士は少なくとも１つの回路を跨いで接続される構成となってしまう。その結果、隣接する回路同士もしくは配線同士の接続ができないという問題がある。さらに、前記フレキシブルプリント配線板の複数の回路を切り替える設定とする場合には複数の接続部分が形成されるが、そのような場合には複数個のジャンパ部品が必要となり部品点数が増加するという問題がある。
【０００６】
この発明は上記の技術的課題に着目してなされたものであり、多様な配線構造を選択的に設定することができるうえに安価なフレキシブルプリント配線板およびその配線板を使用した回路切り替え方法を提供することを目的とするものである。
【課題を解決するための手段】
【０００７】
上記の目的を達成するために、請求項１の発明は、互いに交差しない複数の配線が一方の表面側に形成されるとともに、それらの配線の中間部に、その配線の延長方向に対して交差する折り線に沿って折り曲げることにより重ね合わせられて導通する入力側接点と出力側接点とが設けられたフレキシブルプリント配線板の接点構造において、折り線に沿って前記フレキシブルプリント配線板を折り曲げて所定の接点同士を導通させる折り曲げ接続部が、前記配線の延長方向に所定間隔をあけて、前記配線の本数と同数設けられ、前記配線の延長方向での一端側に位置する第１の折り曲げ接続部には、前記入力側接点と出力側接点とを有する複数の配線のうちその配列方向で一側端がわに位置する配線と他側端がわに位置する配線とを、互いに重ね合わせられて導通させる入力側接点と出力側接点とが設けられ、前記第１の折り曲げ接続部よりも前記配線の延長方向で他端側に順に位置する他の各折り曲げ接続部には、前記一側端がわに位置する配線を前記他側端がわの配線より順に内側の他の配線に接続する入力側接点および出力側接点が設けられるとともに、前記他側端がわに位置する配線を前記一端側の配線より順に内側に位置する他の配線に接続する他の入力側接点および出力側接点が設けられていることを特徴とする接点構造である。
【０００８】
また、請求項２の発明は、互いに交差しない複数の配線が一方の表面側に形成されるとともに、それらの配線の中間部に、その配線の延長方向に対して交差する折り線に沿って折り曲げることにより重ね合わせられて導通する入力側接点と出力側接点とが設けられたフレキシブルプリント配線板の回路切り替え方法において、折り線に沿って前記フレキシブルプリント配線板を折り曲げて所定の接点同士を導通させる折り曲げ接続部を、前記配線の延長方向に所定間隔をあけて、前記配線の本数と同数複数設けておき、前記配線の延長方向での一端側に位置する第１の折り曲げ接続部を折り曲げることにより、前記入力側接点と出力側接点とを有する複数の配線のうちその配列方向で一側端がわに位置する配線と他側端がわに位置する配線との入力側接点と出力側接点とを導通させてこれらの配線を電気的に導通させ、また、前記第１の折り曲げ接続部に替えて前記第１の折り曲げ接続部に替えてよりも前記配線の延長方向で他端側に順に位置する他の折り曲げ接続部を折り曲げることにより、前記一側端がわに位置する配線と前記他側端がわの配線より内側に順に位置する他の配線との入力側接点および出力側接点を導通させてこれらの配線を電気的に導通させるとともに、前記他側端がわに位置する配線と前記一端側の配線より内側に順に位置する他の配線との入力側接点および出力側接点を導通させてこれらの配線を電気的に導通させることを特徴とする方法である。
【発明の効果】
【０００９】
請求項１の発明によれば、フレキシブルプリント配線板の折り曲げ接続部を折り曲げるだけで、前記入力側の接点と出力側の接点とを接触させることができ、その結果、前記回路を導通させることができる。そのため、前記接点同士を接続するための別部品を設ける必要がなくなり、フレキシブルプリント配線板の部品点数を減少することができる。また、フレキシブルプリント配線板の製造コストを低減することができる。さらに、各接点の配置もしくは組み合わせが折り曲げ接続部ごとに異なっているので、適宜の折り曲げ接続部の折り線で折り曲げて所定の入力側接点と出力側接点同士を接触させることにより、一種類のフレキシブルプリント配線板により複数の回路パターンを実現できる。そのため、前記フレキシブルプリント配線板を複数の所定の電子機器の共通部品として製作することが可能となり、大量生産を実現できる。その結果、さらに製造コストを低減することができる。
【００１０】
また、請求項２の発明によれば、フレキシブルプリント配線板の折り曲げ位置を確認することによって回路の接続パターンを推測することができる。その結果、電子機器等の製作の際に作業者が予め他の部品を用意することができるので組み立てが容易になり、製造コストを低減することができる。
【発明を実施するための最良の形態】
【００１１】
以下、本発明を実施した最良の形態について説明する。図３にこの発明のフレキシブルプリント配線板（以下、ＦＰＣと記す）１を使用した箱状構造体２を示す。この箱状構造体２は図示しない車両に取り付けられており、箱状構造体２の内部には所定の電子機器が収納できる。具体的には、箱状構造体２は蓋部３と本体部４とから構成されている。図３における蓋部３の上面は操作パネル５となっており、複数のスイッチ６が設けられている。前記ＦＰＣ１は、蓋部３と本体部４との間に配置されており、前記蓋部３と、本体部４の内部に収納される所定の電子機器と、図示しない車両のバッテリー等の主電源とを電気的に接続している。
【００１２】
図１に示すＦＰＣ１は、例えば、樹脂フィルムを基材としている。ＦＰＣ１の表面には、銅、アルミニウム等の金属による導体によってパターン回路（複数の配線）７が形成されている。パターン回路７には複数の接点が設けられており、この複数の接点の組み替えによって電気の流れるパターンを切り替えできるようになっている。
【００１３】
具体的には、ＦＰＣ１には、図１に示すように回路（配線）上に入力側の接点８、出力側の接点９が形成されている。この入力側の接点８と出力側の接点９との間には、所定間隔が設けられており、その間隔の中間位置には折り線１０が形成されている。そのため、ＦＰＣ１を折り線１０で折り曲げることによって入力側の接点８と出力側の接点９とが対向して接触し、入力側の配線と出力側の配線とが電気的に接続されるようになっている。
【００１４】
この折り線１０による接続部分がジャンパブロック１２とされている。このジャンパブロック１２では、２箇所の入力側の接点８と出力側の接点９とが接触するようになっている。また、この発明のＦＰＣには、折り線で折り曲げるためにクランプ機能を有するクリップなどの部品を使用することもできる。
【００１５】
また、図２に示すように、ＦＰＣ１には上記のジャンパブロック１２の他にジャンパブロック１１、およびジャンパブロック１３が形成されている。ジャンパブロック１１は、上述したジャンパブロック１２と同等の構成、すなわち、折り線１０で折り曲げることによって入力側の接点８と出力側の接点９とが対向して接触し、入力側の配線と出力側の配線とが電気的に接続されるようになっている。さらに、図２に示すように、ジャンパブロック１１では前記折り線１０で折り曲げることにより、１箇所の入力側の接点８と出力側の接点９とが接触するようになっている。また、ジャンパブロック１３もジャンパブロック１１と同等の構成で電気的に接続されるようになっており、折り線１０で折り曲げることにより、３箇所の入力側の接点８と出力側の接点９とが接触するようになっている。
【００１６】
ここで、上記のＦＰＣ１におけるパターン回路７を説明する。図２に示すように、パターン回路７では、入力側の所定の回路から回路１５、回路１６、回路１７が導通されている。詳細には、回路１５では、入力側回路１５Ａから出力側回路１５Ｂに電流が流れるように導体が配置されており、この回路１５Ａから回路１５Ｂまでの間にこの発明における折り曲げ接続部の一例であるジャンパブロック１１、ジャンパブロック１２、ジャンパブロック１３が形成されている。つまり、ＦＰＣ１上に回路数（配線の数）と同数のジャンパブロックが設けられている。また、回路１６では、入力側回路１６Ａから出力側回路１６Ｂまでの間にジャンパブロック１１、ジャンパブロック１２、ジャンパブロック１３が配置されている。さらに、回路１７でも同様に、入力側回路１７Ａから出力側回路１７Ｂまでの間にジャンパブロック１１、ジャンパブロック１２、ジャンパブロック１３が配置されている。したがって、これらジャンパブロック１１、ジャンパブロック１２、ジャンパブロック１３において折り曲げを行うことにより、入力側から出力側に至る回路１５、回路１６、回路１７を選択し、各回路を切り替えることができる。
【００１７】
上記のＦＰＣ１のパターン回路７における出力側の接点の数Ｃ、および配列は、
【数１】
2006135185.tif 000003
となるように設定され、また配列されている。ここで、cnは回路配線番号であって、図２の右端の回路１７を“１”とし、それより左に順に“２”“３”としてある。また、nは入力側からのジャンパブロックの位置を示し、図２では入力側の最初のものを“１”としてある。したがって上記の数１における右辺が、各回路についての出力側接点の配列を示し、その数が数１の左辺のＣの値となる。なお、cnとnとは同数に設定される。図２では回路の総数が３本であり、回路１７を配線番号１、回路１６を配線番号２、回路１５を配線番号３として出力側の接点が設定されている。つまり、図２では、ジャンパブロック１３が、ＦＰＣ１における入力側からの３つ目のジャンパブロックであるから、Ｃ(3)＝ＪＣ(3)、ＪＣ(2)、ＪＣ(1)となり、入力側の回路配線番号３の回路１５に、３箇所の出力側の接点９が配列される。
【００１８】
また、図２の入力側の接点８は、
【数２】
2006135185.tif 000004
となるように設定され、また配列されている。ここで、knは回路配線番号であって、図２の右端の回路１７を“１”とし、それより左に順に“２”“３”としてある。また、nは入力側からのジャンパブロックの位置を示し、図２では入力側の最初のものを“１”としてある。したがって上記の数２における右辺が、各回路についての入力側接点の配列を示し、その数が数２の左辺のＫの値となる。なお、knとnとは同数に設定される。図２では回路の総数が３本であり、回路１７を配線番号１、回路１６を配線番号２、回路１５を配線番号３として入力側の接点が設定されている。つまり、図２では、例えば、ジャンパブロック１２が、ＦＰＣ１における入力側からの２つ目のジャンパブロックであるから、Ｋ(2)＝ＪＫ(3)、ＪＫ(2)となり、回路配線番号２の回路１６に、２箇所の入力側の接点８が配列される。
【００１９】
そして、各ジャンパブロックにおける接点の配置、すなわち各配線の接続関係を説明すると、最も入力側の第１のジャンパブロック１１には一対の接点８，９が設けられており、入力側接点８は配線の配列方向で一側端がわに位置する配線番号３の入力側回路１５Ａに接続され、出力側接点９は配線の配列方向で他側端がわに位置する配線番号１の出力側回路１７Ｂに接続されている。すなわち、一側端がわの配線と他側端がわの配線を接続するように構成されている。
【００２０】
また、第１のジャンパブロック１１に隣接する第２のジャンパブロック１２には、二対の接点８，９が設けられており、前記一側端がわの配線に接続されている入力側接点８に対向する出力側接点９は、前記他側端がわの配線より一つ内側の配線（配線番号２）に接続され、また、前記一側端がわの配線より一つ内側の配線（配線番号２）に入力側回路１６Ａに接続されている入力側接点８に対向する出力側接点９は、前記他側端がわに位置する配線番号１の出力側回路１７Ｂに接続されている。すなわち、この第２のジャンパブロック１２は、一側端がわの配線を他側端がわより一つ内側の配線に接続するとともに、その一側端がわの配線より一つ内側の配線を、前記他側端がわの配線に接続するように構成されている。
【００２１】
以下同様に、第３のジャンパブロック１３は、前記一側端がわの配線を、前記他側端がわの配線より二つ内側の配線（すなわち図２に示す例では一側端がわの配線）に接続する接点の対と、前記一側端がわの配線より一つ内側の配線を、前記他側端がわの配線より一つ内側の配線（すなわち図２に示す例では、中央の配線同士）に接続する接点の対と、前記他側端がわの配線同士を接続する接点の対との三対の接点８，９が設けられている。
【００２２】
上記ＦＰＣ１の作用すなわちこの発明による回路の切り替え方法を説明する。ＦＰＣ１の各ジャンパブロック１１，１２，１３のいずれかによってＦＰＣ１が折り曲げられると、入力側の接点８と出力側の接点９とが対向して重なり、互いに接触する。その結果、入力側の接点８と出力側の接点９とが導通され、入力側から出力側に対して電流が流れる。
【００２３】
また、ＦＰＣ１おける各ジャンパブロックにおける折り曲げの有無の組み合わせによって、ＦＰＣ１の導通のパターンが変化する。すなわち、予め、所定のパターン回路７が形成されたＦＰＣ１を各ジャンパブロックのいずれかで折り曲げたり、あるいは折り曲げずにそのまま使用することによって導通のパターンが切り替えられる。
【００２４】
したがって、上記のＦＰＣ１では、ＦＰＣ１の各回路上にジャンパブロック１１，１２，１３が設けられていることにより、各ジャンパブロックで前記ＦＰＣ１を折り曲げるだけで、適宜の入力側の接点８と出力側の接点９とを電気的に接続することができる。そのため、接点８と接点９とを導通させるためにジャンパブロックを別部品として設ける必要がなくなり、ＦＰＣ１の部品点数を減少することができる。その結果、ＦＰＣ１の製造コストを低減することができる。
【００２５】
また、ＦＰＣ１では、一種類の配線板により複数の回路パターンを実現できる。そのため、ＦＰＣ１を複数の所定の電子機器の共通部品として製作することができるので、大量生産を実現できる。その結果、さらにＦＰＣ１の製造コストを低減することができる。
【００２６】
また、ＦＰＣ１では、ジャンパブロック１１，１２，１３における折り曲げ位置によって回路の接続パターンを推測することができる。その結果、ＦＰＣ１を箱状構造体２に取り付ける際に作業者が予め他の部品を用意することができるので、箱状構造体２の組み立てが容易になり、製造コストを低減することができる。
【００２７】
なお、ジャンパブロック１２は、図１の折り線１０Ａ、あるいは折り線１０Ｂで折り曲げるように構成できる。その場合、ジャンパブロック１２が折り線１０で折り曲げられた場合には、回路１５Ａと回路１５Ｂとが接続され、同時に回路１６Ａと回路１６Ｂとが接続される。また、ジャンパブロック１２が折り線１０Ａで折り曲げられた場合には、回路１５Ａと回路１６Ｂとが接続される。さらに、ジャンパブロック１２が折り線１０Ｂで折り曲げられた場合には、回路１５Ｂと回路１６Ａとが接続される。したがって、ジャンパブロック１２に折り線１０の他に、折り線１０Ａ、折り線１０Ｂを設けた場合には、入力側の１つの接点８に対して各出力側の接点９を選択的に接触できる。そのため、各折り線のいずれかを選択することによって各回路接続のパターンを変更することができる。その結果、さらにＦＰＣ１の汎用性が向上し、製造コストを低減できる。
【００２８】
なお、上記実施例において、ＦＰＣ１は車両に設置された箱状構造体２に使用されたが、この発明のフレキシブルプリント配線板はこれに限定されることなく、例えば、テレビ、ビデオデッキ、デジタルカメラ等の他の電子機器に適用することができる。
【図面の簡単な説明】
【００２９】
【図１】この発明のフレキシブルプリント配線板を簡略的に示す図である。
【図２】この発明のフレキシブルプリント配線板の接続パターンの一例を示す図である。
【図３】この発明のフレキシブルプリント配線板を使用した電子機器を示す図である。
【符号の説明】
【００３０】
１…フレキシブルプリント配線板、  ２…箱状構造体、  ３…蓋部、  ４…本体部、  ８，９…接点、  １０，１０Ａ，１０Ｂ…折り線、  １１，１２，１３…ジャンパブロック、  １５，１６，１７…回路（配線）。
【図１】
2006135185.tif 000005
【図２】
2006135185.tif 000006
【図３】
2006135185.tif 000007